【手続補正書】
【提出日】平成27年10月22日(2015.10.22)
【手続補正１】
【補正対象書類名】明細書
【補正対象項目名】００３９
【補正方法】変更
【補正の内容】
【００３９】
本発明は、好適な設計を有するとして記載されてきたが、本発明は、本開示の主旨及び適用範囲の範囲内で更に変更され得る。本願は、従って、その一般原理を用いて本発明のあらゆる変形、使用、又は適応を網羅するよう意図される。更に、本願は、本発明が関係し且つ添付の特許請求の範囲の技術的範囲内にある当該技術における既知又は通例の実施の範囲内にあるものとして本開示からのそのような逸脱を網羅するよう意図される。  
上記の実施形態に加えて、以下の付記を開示する。
（付記１）
正常位置、上下逆位置、左傾斜位置、及び右傾斜位置において保持されるよう作動する携帯型機器であって、
プロセッサと、
ディスプレイと、
当該携帯型機器が前記正常位置で保持される場合に前記ディスプレイの第１の側にある第１の物理ボタンと、
前記第１の側に対向する前記ディスプレイの第２の側にあり、当該携帯型機器が前記正常位置で保持される場合に前記第１の物理ボタンと対角対称に位置付けられる第２の物理ボタンと
を有し、
前記第１の物理ボタン及び前記第２の物理ボタンの作動は、当該携帯型機器が前記正常位置で保持される場合に前記プロセッサに第１の機能及び第２の機能を夫々実行させ、当該携帯型機器が前記上下逆位置で保持される場合に前記プロセッサに前記第２の機能及び前記第１の機能を夫々実行させ、
当該携帯型機器が前記左傾斜位置及び前記右傾斜位置のうちの１つで保持される場合に、前記プロセッサは、前記ディスプレイを介して第１の仮想ボタン及び第２の仮想ボタンの表示を引き起こし、前記第１の仮想ボタン及び前記第２の仮想ボタンの作動は、前記プロセッサに前記第１の機能及び前記第２の機能を夫々実行させ、
前記第１の仮想ボタン及び前記第２の仮想ボタンは、当該携帯型機器が前記正常位置で保持される場合に前記第１の物理ボタン及び前記第２の物理ボタンの場所に夫々対応する前記左傾斜位置及び前記右傾斜位置のうちの前記１つでの前記ディスプレイにおける各々の場所で夫々表示される、
携帯型機器。
（付記２）
前記正常位置及び前記上下逆位置は夫々、縦置きの向きに対応し、
前記左傾斜位置及び前記右傾斜位置は夫々、横置きの向きに対応する、
付記１に記載の携帯型機器。
（付記３）
前記第１の機能は、ボリューム制御機能に対応し、
前記第２の機能は、チャンネル制御機能に対応する、
付記１に記載の携帯型機器。
（付記４）
前記プロセッサは更に、前記第１の仮想ボタン及び前記第２の仮想ボタンが表示される場合に前記ディスプレイを介して提供される仮想画像のサイズを低減するよう作動する、
付記１に記載の携帯型機器。
（付記５）
前記プロセッサは、当該携帯型機器が前記正常位置及び前記上下逆位置のうちの１つから前記左傾斜位置及び前記右傾斜位置のうちの１つへ切り替えられることに応答して、前記第１の仮想ボタン及び前記第２の仮想ボタンを表示させる、
付記１に記載の携帯型機器。
（付記６）
前記プロセッサは、（ｉ）当該携帯型機器が振られること、及び（ｉｉ）当該携帯型機器がオンされた後の所定の時間期間の経過、のうちの少なくとも１つに応答して、前記第１の仮想ボタン及び前記第２の仮想ボタンを表示させる、
付記１に記載の携帯型機器。
（付記７）
前記第１の仮想ボタン及び前記第２の仮想ボタンは夫々、前記第１の機能及び前記第２の機能のうちの１つに対応するラベルを有する、
付記１に記載の携帯型機器。
（付記８）
正常位置、上下逆位置、左傾斜位置、及び右傾斜位置において保持されるよう作動する携帯型機器であって、
当該携帯型機器へのユーザ入力を処理し、仮想表示を有効にする処理手段と、
前記仮想表示を提供する表示手段と、
当該携帯型機器が前記正常位置で保持される場合に前記表示手段の第１の側にある第１の物理ボタンと、
前記第１の側に対向する前記表示手段の第２の側にあり、当該携帯型機器が前記正常位置で保持される場合に前記第１の物理ボタンと対角対称に位置付けられる第２の物理ボタンと
を有し、
前記第１の物理ボタン及び前記第２の物理ボタンの作動は、当該携帯型機器が前記正常位置で保持される場合に前記処理手段に第１の機能及び第２の機能を夫々実行させ、当該携帯型機器が前記上下逆位置で保持される場合に前記処理手段に前記第２の機能及び前記第１の機能を夫々実行させ、
当該携帯型機器が前記左傾斜位置及び前記右傾斜位置のうちの１つで保持される場合に、前記処理手段は、前記表示手段を介して第１の仮想ボタン及び第２の仮想ボタンの表示を引き起こし、前記第１の仮想ボタン及び前記第２の仮想ボタンの作動は、前記処理手段に前記第１の機能及び前記第２の機能を夫々実行させ、
前記第１の仮想ボタン及び前記第２の仮想ボタンは、当該携帯型機器が前記正常位置で保持される場合に前記第１の物理ボタン及び前記第２の物理ボタンの場所に夫々対応する前記左傾斜位置及び前記右傾斜位置のうちの前記１つでの前記表示手段における各々の場所で夫々表示される、
携帯型機器。
（付記９）
前記正常位置及び前記上下逆位置は夫々、縦置きの向きに対応し、
前記左傾斜位置及び前記右傾斜位置は夫々、横置きの向きに対応する、
付記８に記載の携帯型機器。
（付記１０）
前記第１の機能は、ボリューム制御機能に対応し、
前記第２の機能は、チャンネル制御機能に対応する、
付記８に記載の携帯型機器。
（付記１１）
前記処理手段は更に、前記第１の仮想ボタン及び前記第２の仮想ボタンが表示される場合に前記表示手段を介して提供される仮想画像のサイズを低減するよう作動する、
付記８に記載の携帯型機器。
（付記１２）
前記処理手段は、当該携帯型機器が前記正常位置及び前記上下逆位置のうちの１つから前記左傾斜位置及び前記右傾斜位置のうちの１つへ切り替えられることに応答して、前記第１の仮想ボタン及び前記第２の仮想ボタンを表示させる、
付記８に記載の携帯型機器。
（付記１３）
前記処理手段は、（ｉ）当該携帯型機器が振られること、及び（ｉｉ）当該携帯型機器がオンされた後の所定の時間期間の経過、のうちの少なくとも１つに応答して、前記第１の仮想ボタン及び前記第２の仮想ボタンを表示させる、
付記８に記載の携帯型機器。
（付記１４）
前記第１の仮想ボタン及び前記第２の仮想ボタンは夫々、前記第１の機能及び前記第２の機能のうちの１つに対応するラベルを有する、
付記８に記載の携帯型機器。
（付記１５）
正常位置、上下逆位置、左傾斜位置、及び右傾斜位置において保持されるよう作動する機器の作動方法であって、
前記機器が前記正常位置で保持される場合に、前記機器が前記正常位置で保持される場合に前記機器のディスプレイの第１の側に設置される第１の物理ボタンと、前記第１の側に対向する前記ディスプレイの第２の側に設置され、前記機器が前記正常位置で保持される場合に前記第１の物理ボタンと対角対称に位置付けられる第２の物理ボタンとの作動に応答して、夫々、第１の機能及び第２の機能を実行するステップと、
前記機器が前記上下逆位置で保持される場合に、前記第１の物理ボタン及び前記第２の物理ボタンの作動に応答して、夫々、前記第２の機能及び前記第１の機能を実行するステップと、
前記機器が前記左傾斜位置及び前記右傾斜位置のうちの１つで保持される場合に、前記ディスプレイを介して第１の仮想ボタン及び第２の仮想ボタンの表示を有効にするステップと、
前記機器が前記左傾斜位置及び前記右傾斜位置のうちの１つで保持される場合に、前記第１の仮想ボタン及び前記第２の仮想ボタンの作動に応答して、夫々、前記第１の機能及び前記第２の機能を実行するステップと
を有し、
前記第１の仮想ボタン及び前記第２の仮想ボタンは、前記機器が前記正常位置で保持される場合に前記第１の物理ボタン及び前記第２の物理ボタンの場所に夫々対応する前記左傾斜位置及び前記右傾斜位置のうちの前記１つでの前記ディスプレイにおける各々の場所で夫々表示される、
作動方法。
（付記１６）
前記正常位置及び前記上下逆位置は夫々、縦置きの向きに対応し、
前記左傾斜位置及び前記右傾斜位置は夫々、横置きの向きに対応する、
付記１５に記載の作動方法。
（付記１７）
前記第１の機能は、ボリューム制御機能に対応し、
前記第２の機能は、チャンネル制御機能に対応する、
付記１５に記載の作動方法。
（付記１８）
前記第１の仮想ボタン及び前記第２の仮想ボタンが表示される場合に前記ディスプレイを介して提供される仮想画像のサイズを低減するステップ
を更に有する付記１５に記載の作動方法。
（付記１９）
前記第１の仮想ボタン及び前記第２の仮想ボタンは、前記機器が前記正常位置及び前記上下逆位置のうちの１つから前記左傾斜位置及び前記右傾斜位置のうちの１つへ切り替えられることに応答して表示される、
付記１５に記載の作動方法。
（付記２０）
前記第１の仮想ボタン及び前記第２の仮想ボタンは、（ｉ）前記機器が振られること、及び（ｉｉ）前記機器がオンされた後の所定の時間期間の経過、のうちの少なくとも１つに応答して表示される、
付記１５に記載の作動方法。
（付記２１）
前記第１の仮想ボタン及び前記第２の仮想ボタンは夫々、前記第１の機能及び前記第２の機能のうちの１つに対応するラベルを有する、
付記１５に記載の作動方法。